(57)【要約】【課題】 携帯端末以外から携帯専用サイトへのアクセスすることが可能な技術を提供する。【解決手段】 ＩＰ中継装置１はＩＰ端末２あるいは小型携帯電話基地局３の配下の携帯電話端末４から受信したリクエストメッセージの送信先アドレスに基づいてＩＰ網８内に存在するＷＷＷ（Ｗｏｒｌｄ  Ｗｉｄｅ  Ｗｅｂ）サイトあるいは携帯電話網５内に存在する携帯サイトのいずれかにリクエストメッセージを中継する。中継したリクエストメッセージに対するレスポンスメッセージがＩＰ網８あるいは携帯電話網５から受信すると、リエストメッセージを送付したＩＰ端末２あるいは携帯電話端末４に当該レスポンスメッセージを中継する。【選択図】 図１
2010074659.tif 000002
【特許請求の範囲】
【請求項１】
携帯電話網および小型携帯電話基地局およびＩＰ（Ｉｎｔｅｒｎｅｔ  Ｐｒｏｔｏｃｏｌ）網およびＩＰ端末と接続されるＩＰ中継装置であって、
前記携帯電話網と接続するための携帯電話網接続手段と、
前記小型携帯電話基地局と接続するための小型携帯電話基地局接続手段と、
前記ＩＰ網と接続するためのＩＰ網接続手段と、
前記ＩＰ端末と接続するためのＩＰ端末接続手段と、
前記基地局接続手段と前記ＩＰ端末接続手段と前記ＩＰ網接続手段と前記携帯電話網接続手段との間でデータを中継するデータ中継手段と、
前記携帯電話網を介して通信する際に必要となる通信ＩＤ（ＩＤｅｎｔｉｆｉｃａｔｉｏｎ）を記憶しておく通信ＩＤ記憶手段と、
前記通信ＩＤ記憶手段に記憶された通信ＩＤを用いて前記携帯電話網を介した通信を実行する携帯電話網通信実行手段と、を有し、
前記通信ＩＤは前記小型携帯電話基地局に帰属する携帯電話端末が前記携帯電話網を介して通信を実行する際に使用する通信ＩＤと等価であって、
自ＩＰ中継装置に接続されたＩＰ端末から前記携帯電話網に繋がる所定の宛先への接続要求があった場合に、
前記携帯電話網通信実行手段は、前記携帯電話網を介して前記所定の宛先との通信を実行し、
前記データ中継手段は、当該所定の宛先と前記接続を要求したＩＰ端末との間でデータを中継することを特徴とする代理通信機能を有するＩＰ中継装置。
【請求項２】
請求項１に記載のＩＰ中継装置であって、
前記携帯電話端末と前記携帯電話網との間の通信を監視し前記通信ＩＤ記憶手段に記憶された通信ＩＤに対応する携帯電話端末が前記小型携帯電話基地局に帰属しているか否かを判定する携帯電話端末帰属判定手段をさらに有し、
前記携帯電話網通信実行手段は、前記携帯電話端末帰属判定手段が当該通信ＩＤに対応する携帯電話端末が前記小型携帯電話基地局に帰属していると判定した場合に、前記携帯電話網を介した通信を実行することを特徴とする代理通信機能を有するＩＰ中継装置。
【請求項３】
請求項１または２に記載のＩＰ中継装置であって、
前記通信ＩＤ記憶手段は、着脱自在なＳＩＭ（Ｓｕｂｓｃｒｉｂｅｒ  Ｉｄｅｎｔｉｔｙ  Ｍｏｄｕｌｅ）カード等の電話番号を特定するための固有のＩＤを記憶する手段であることを特徴とする代理通信機能を有するＩＰ中継装置。
【発明の詳細な説明】
【技術分野】
【０００１】
本発明は、ＩＰ（Ｉｎｔｅｒｎｅｔ  Ｐｒｏｔｏｃｏｌ）端末と携帯電話網との間でデータ中継を可能とするＩＰ中継装置に関する。
【背景技術】
【０００２】
家庭内の固定電話網やインターネット回線と携帯電話網を組合わせたサービスとしてＦＭＣ（Ｆｉｘｅｄ  Ｍｏｂｉｌｅ  Ｃｏｎｖｅｒｇｅｎｃｅ）が知られている（例えば特許文献１、特許文献２）。ＦＭＣにおいて、携帯端末がＩＰ中継装置に収容された小型基地局（例えばフェムトセル）のエリア（自営網）に進入すると、携帯端末は、パソコンなどのＩＰ端末と同じようにＩＰ中継装置や無線ＬＡＮを介することにより、携帯電話網を経由することなくＩＰ網へアクセスすることが可能となる。
【特許文献１】特開２００６−１２９１５８号公報
【特許文献２】特開２００３−２９９１５７号公報
【発明の開示】
【発明が解決しようとする課題】
【０００３】
しかしながら、従来のＦＭＣにおいては、自営網内の携帯電話端末がＩＰ網を介した通信を実行することは可能だが、自営網内のＩＰ端末が携帯電話網を介した通信を実行することはできないという欠点があった。
【０００４】
そこで本発明の課題は、自営網内において、ＩＰ端末による携帯電話網を介した通信を可能とするＩＰ中継装置を実現することにある。
【課題を解決するための手段】
【０００５】
上記課題を解決するために、本発明は、携帯電話網および小型携帯電話基地局およびＩＰ（Ｉｎｔｅｒｎｅｔ  Ｐｒｏｔｏｃｏｌ）網およびＩＰ端末と接続されるＩＰ中継装置であって、
前記携帯電話網と接続するための携帯電話網接続手段と、前記小型携帯電話基地局と接続するための小型携帯電話基地局接続手段と、前記ＩＰ網と接続するためのＩＰ網接続手段と、前記ＩＰ端末と接続するためのＩＰ端末接続手段と、前記基地局接続手段と前記ＩＰ端末接続手段と前記ＩＰ網接続手段と前記携帯電話網接続手段との間でデータを中継するデータ中継手段と、前記携帯電話網を介して通信する際に必要となる通信ＩＤ（ＩＤｅｎｔｉｆｉｃａｔｉｏｎ）を記憶しておく通信ＩＤ記憶手段と、前記通信ＩＤ記憶手段に記憶された通信ＩＤを用いて前記携帯電話網を介した通信を実行する携帯電話網通信実行手段と、を有し、前記通信ＩＤは前記小型携帯電話基地局に帰属する携帯電話端末が前記携帯電話網を介して通信を実行する際に使用する通信ＩＤと等価であって、自ＩＰ中継装置に接続されたＩＰ端末から前記携帯電話網に繋がる所定の宛先への接続要求があった場合に、前記携帯電話網通信実行手段は、前記携帯電話網を介して前記所定の宛先との通信を実行し、前記データ中継手段は、当該所定の宛先と前記接続を要求したＩＰ端末との間でデータを中継することを特徴とする。
【発明の効果】
【０００６】
本発明によれば、自営網内において、ＩＰ端末による携帯電話網を介した通信が可能となるので、例えば、携帯電話網を介して繋がる携帯端末専用のサイトを操作性の良いパーソナルコンピュータ等のＩＰ端末で閲覧することが可能となる。
【０００７】
また、ＩＰ中継装置に接続されるＩＰ端末が複数ある場合、当該携帯電話網を介した通信機能を複数のＩＰ端末で共有できる利点がある。
【発明を実施するための最良の形態】
【０００８】
以下、本発明の実施の形態について説明する。
【０００９】
図１は、本発明の一実施の形態に係るＩＰ中継装置１を含むＦＭＣシステムの概略図である。
【００１０】
図示するように、ＩＰ中継装置１は、少なくとも一台のＩＰ端末２とフェムトセルなどの小型携帯電話基地局３を収容する。そして、これらの装置２，３をＩＰ網８および携帯電話網５に接続する。尚、ここで、小型携帯電話基地局３とは、通常の無線基地局よりも小規模のエリアをカバーする基地局（例えば、マイクロセル基地局、ピコセル基地局、フェムトセル基地局等）を意味する。
【００１１】
具体的には、ＩＰ中継装置１はＩＰ端末２あるいは小型携帯電話基地局３の配下の携帯電話端末４から受信したリクエストメッセージの送信先アドレスに基づいてＩＰ網８内に存在するＷＷＷ（Ｗｏｒｌｄ  Ｗｉｄｅ  Ｗｅｂ）サイトあるいは携帯電話網５内に存在する携帯電話専用サイト６のいずれかにリクエストメッセージを中継する。尚、ここで携帯電話専用サイト６とは、接続するのに携帯電話端末の識別情報で認証が必要なサイトのことを意味する（例えば、携帯電話を用いたネットワークバンキングなど）。
中継したリクエストメッセージに対するレスポンスメッセージがＩＰ網８あるいは携帯電話網５から受信すると、リクエストメッセージを送付したＩＰ端末２あるいは携帯電話端末４に当該レスポンスメッセージを中継する。
【００１２】
また、ＩＰ中継装置１は、小型携帯電話基地局３の配下にある携帯電話端末４から受信した位置登録要求メッセージおよび登録解除要求メッセージを携帯電話網５内のＨＬＲ（Ｈｏｍｅ  Ｌｏｃａｔｉｏｎ  Ｒｅｇｉｓｔｅｒ）６に送信する。また、この位置登録要求メッセージ、登録解除要求メッセージに基づいて、小型携帯電話基地局３の配下にある携帯電話端末４の収容を制御する。尚、ここで携帯電話端末４とは、携帯電話網５に接続される端末装置を意味する（携帯電話、携帯電話網と接続するＰＤＡ端末、携帯網接続モジュールが接続されたＰＣ、ＳＩＭモジュールカードが接続された通信装置等も含む。）。
【００１３】
図２は、ＩＰ中継装置１の概略構成図である。
【００１４】
図示するようにＩＰ中継装置１は、ＩＰ網ＩＦ部１０１と、携帯電話網ＩＦ部１０２と、ＩＰ端末ＩＦ部１０３と、基地局ＩＦ部１０４と、メッセージ中継部１０５と、通信ＩＤ記憶部１０６と、リクエストメッセージ変換部１０７と、レスポンスメッセージ変換部１０８と、リクエストメッセージ制御部１０９と、レスポンスメッセージ制御部１１０とから構成される。
【００１５】
ＩＰ網ＩＦ部１０１は、ＩＰ網８に接続するためのインターフェイスである。
【００１６】
携帯電話網ＩＦ部１０２は、携帯電話網５に接続するためのインターフェイスである。
【００１７】
ＩＰ端末ＩＦ部１０３は、ＰＣ（Ｐｅｒｓｏｎａｌ  Ｃｏｍｐｕｔｅｒ）など、ブラウジングが可能なＩＰ端末２と接続するためのインターフェイスである。
【００１８】
基地局ＩＦ部１０４は、小型携帯電話基地局３を接続するためのインターフェイスである。
【００１９】
メッセージ中継部１０５は、リクエストメッセージ制御部１０９とレスポンスメッセージ制御部１１０の指示に従い、ＩＰ網ＩＦ部１０１、携帯電話網ＩＦ部１０２、ＩＰ端末ＩＦ部１０３、及び基地局ＩＦ部１０４へメッセージを中継する。
【００２０】
通信ＩＤ記憶部１０６は、ＩＰ中継装置１が収容する携帯電話端末４の情報を端末毎に携帯電話端末情報記憶テーブルとして記憶する。また、携帯電話端末４またはＩＰ端末２の何れかからＩＰ網８または携帯電話網５上のサイトにアクセスした場合の接続情報を送信元記憶テーブルとして記憶する。
【００２１】
次に、通信ＩＤ記憶部１０６に記憶される携帯電話端末情報記憶テーブル、送信元記憶テーブルについて説明する。図３（ａ）は携帯電話端末情報記憶テーブルを、図３（ｂ）は送信元記憶テーブルをそれぞれ模式的に表した図である。
【００２２】
図３（ａ）に示すように、携帯電話端末情報記憶テーブルは、収容する携帯電話端末４毎にレコード１０６０が記憶される。レコード１０６０は、携帯電話端末４の携帯電話端末情報を記憶するフィールド１０６１と、この携帯電話端末４の携帯事業者（機種情報も含む）を登録するフィールド１０６２と、レコード１０６０の登録・更新日時を登録するフィールド１０６３と、携帯電話網ＩＦ部１０２にリクエストメッセージを中継する為にテーブル１０６０を使用中か未使用かを設定するＵｓｅｄ  Ｆｌａｇフィールド１０６４を有する。
【００２３】
通信ＩＤ記憶部１０６は、自ＩＰ網中継装置１が基地局ＩＦ部１０４を介して携帯電話端末４から受信した、携帯電話端末４と携帯電話網５との帰属認証に係る通信ＩＤを携帯電話網５内のＨＬＲ７に中継する際に、この通信ＩＤに基づいて小型携帯電話基地局３の配下にある携帯電話端末４を認識し、携帯電話端末情報記憶テーブルの携帯電話端末４のレコード１０６０を登録する。
【００２４】
また、通信ＩＤ記憶部１０６は、自ＩＰ網中継装置１が基地局ＩＦ部１０４を介して携帯電話端末４から受信した、携帯電話端末４と携帯電話網５との帰属解除に係る通信ＩＤを携帯電話網５内のＨＬＲ７に中継する際に、当該通信ＩＤに基づいて、通信ＩＤ記憶小型携帯電話基地局３の配下からの携帯電話端末４の離脱を認識し、携帯電話端末情報記憶テーブルの携帯電話端末４のレコード１０６０削除する。
【００２５】
また、通信ＩＤ記憶部１０６は、各レコード１０６０の更新日時を監視する。そして、更新日時から所定の時間を経過しているレコード１０６０に対する携帯電話端末４を、小型携帯電話基地局３の配下から離脱したものと認識し、携帯電話端末情報記憶テーブルのレコード１０６０を削除する。
【００２６】
次に、図３（ｂ）に示すように送信元記憶テーブルには、リクエストメッセージの中継が基地局ＩＦ部１０４からＩＰ網ＩＦ部１０１への中継と、ＩＰ端末ＩＦ部１０３から携帯電話網ＩＦ部１０２へ中継される場合にレコード２０６０が記憶される。レコード２０６０は、リクエストメッセージを送信してきた端末情報を記憶するフィールド２０６１と、リクエストメッセージの中継先（ＩＰ網ＩＦ部１０１か携帯電話網ＩＦ部１０２）を記憶するフィールド２０６２と、リクエストメッセージを中継する際に変更した送信元端末情報（レコード１０６０のフィールド１０６２の携帯事業者か、自ＩＰ中継装置１のＩＰアドレス）を記憶するフィールド２０６３を有する。
【００２７】
図２の説明に戻る。
【００２８】
リクエストメッセージ制御部１０７は、ＩＰ端末ＩＦ部１０３あるいは基地局ＩＦ部１０４にリクエストメッセージが到着した場合に、このリクエストメッセージの送信先アドレスに基づいてＩＰ網ＩＦ部１０１、携帯電話網ＩＦ部１０２のいずれかを中継先のＩＦ部に選定し、このリクエストメッセージが中継先のＩＦ部に中継されるように、メッセージ中継部１０５を制御する。
【００２９】
具体的には、送信先のアドレスの文字列を検索し、送信先アドレスが、送信先アドレスが／ｅｚ／や／ｉ／など携帯サイト特有のアドレスであるか否かを判断し、携帯サイト特有の文字列が存在しないならば、このリクエストメッセージの送信先がＷＷＷサイト９宛であると判定し、このリクエストメッセージがＩＰ網ＩＦ部１０１に中継されるようにメッセージ中継部１０５を制御し、送信先アドレスが／ｅｚ／や／ｉ／など携帯サイト特有のアドレスであるならば、このリクエストメッセージが携帯電話網ＩＦ部１０２に中継されるようにメッセージ中継部１０５を制御する。
【００３０】
また、リクエストメッセージ制御部１０９は、基地局ＩＦ部１０４に到着したリクエストメッセージをＩＰ網ＩＦ部１０１へ送信する場合、このリクエストメッセージの送信元アドレスを自ＩＰ中継装置１に付与されたＩＰアドレスに変更する。
【００３１】
レスポンスメッセージ制御部１１０は、ＩＰ網ＩＦ部１０１あるいは携帯電話網ＩＦ部１０２にリクエストメッセージに対するレスポンスメッセージが到着した場合に、このレスポンスメッセージの送信先アドレスに基づいてＩＰ端末ＩＦ部１０３あるいは基地局ＩＦ部１０４を中継先のＩＦ部に選定し、このレスポンスメッセージが中継先のＩＦ部に中継されるように、メッセージ中継部１０５を制御する。
【００３２】
具体的には、携帯電話網ＩＦ部１０２に到着したレスポンスメッセージの送信先アドレスが通信ＩＤ記憶部１０６のレコード２０６０のフィールド２０６１にＩＰ端末情報が記憶されているならば、このレスポンスメッセージがＩＰ端末ＩＦ部１０３に中継されるようにメッセージ中継部１０５を制御し、ＩＰ端末情報が記憶されていないならば、このレスポンスメッセージが基地局ＩＦ部１０４に中継されるようにメッセージ中継部１０５を制御する。
【００３３】
また、ＩＰ網ＩＦ部１０１に到着したレスポンスメッセージの送信先アドレスが自ＩＰ中継装置１のＩＰアドレスであり、レコード２０６０のフィールド２０６１に携帯電話端末４が記憶されているならば、このレスポンスメッセージが基地局ＩＦ部１０４に中継されるようにメッセージ中継部１０５を制御し、携帯端末情報が記憶さえていないならば、このレスポンスメッセージがＩＰ端末ＩＦ部１０３に中継されるようにメッセージ中継部１０５を制御する。
【００３４】
リクエストメッセージ変換部１０７は、ＩＰ端末ＩＦ部１０３に到着したリクエストメッセージがメッセージ中継部１０５によって携帯電話網ＩＦ部１０２に中継される場合に、送信元の端末情報を通信ＩＤ記憶部１０６に記憶しているユーザエージェント情報を付加したリクエストメッセージに変換する。また、携帯端末ＩＦ部１０４に到着したリクエストメッセージがメッセージ中継部１０５によってＩＰ網ＩＦ部１０１に中継される場合には、送信元アドレスを自ＩＰ中継装置１のＩＰアドレスに変換する。
【００３５】
レスポンスメッセージ変換部１０８は、ＩＰ網ＩＦ部１０１に到着したレスポンスメッセージがメッセージ中継部１０５によって基地局ＩＦ部１０４に中継される場合に、携帯電話端末４で閲覧できるような記述言語に変更する。
【００３６】
具体的には、ＨＤＭＬ言語で閲覧可能な携帯電話端末４宛へのレスポンスメッセージであるならば、ＩＰ網ＩＦ部１０１に到着したレスポンスメッセージの記述言語をＨＤＭＬに変換する。さらに、携帯電話端末４の画面サイズに合わせた文字数及び桁数に分割を行う。また記述言語を変換することなく閲覧可能な携帯電話端末４宛であるならば、記述言語の変更は行わず、携帯電話端末４の画面サイズに合わせた文字数及び桁数に分割を行う。
【００３７】
さらに、レスポンスメッセージ変換部１０８は、携帯電話網ＩＦ部１０２に到着したレスポンスメッセージがメッセージ中継部１０５によってＩＰ端末ＩＦ部１０３に中継される場合にＩＰ端末２で閲覧できるようにレスポンスメッセージを変換する。
【００３８】
具体的には、通信ＩＤ記憶部１０６のレコード１０６０のフィールド１０６１および１０６２に対して送られてきたレスポンスメッセージの送信先のアドレスをＩＰ端末２のＩＰアドレスに変換する。さらに、ＨＤＭＬ記述言語で到着したレスポンスメッセージに対してはＨＴＭＬ記述言語に変換する。
【００３９】
図４は、ＩＰ中継装置１の動作を説明するためのフロー図である。
基地局ＩＦ部１０４は、小型携帯電話基地局３の配下の携帯電話端末４から位置登録要求メッセージを受信すると（Ｓ１０で「Ｙｅｓ」）、この位置登録要求メッセージを通信ＩＤ記憶部１０６に通知する。これを受けて、通信ＩＤ記憶部１０６は、携帯電話網ＩＦ部１０２を介して携帯電話網５内のＨＬＲ７に、この位置登録要求メッセージを送信する（Ｓ１１）。また、通信ＩＤ記憶部１０６は、この位置登録要求メッセージに含まれている端末情報をキーにして、レコード１０６３を検索する。
【００４０】
レコード１０６０を検索できた場合は、通信ＩＤ記憶部１０６はこのレコード１０６０のフィールド１０６３に登録されている更新日時を現在の日時に更新する。
【００４１】
一方、レコード１０６０を検索できなかった場合は、通信ＩＤ記憶部１０６は、新たなレコード１０６０を追加して、この新たなレコード１０６０のフィールド１０６１にこの位置登録要求メッセージに含まれている携帯端末情報を登録する。また、このレコード１０６０のフィールド１０６２に携帯電話端末４のユーザーエージェントを登録し、フィールド１０６３に現在の日時を登録する（Ｓ１２）。
【００４２】
また、基地局ＩＦ部１０４は、小型携帯電話基地局３の配下の携帯電話端末４から登録解除要求メッセージを受信すると（Ｓ１３で「Ｙｅｓ」）、この登録解除要求メッセージを通信ＩＤ記憶部１０６に通知する。これを受けて、通信ＩＤ記憶部１０６は、携帯電話網ＩＦ部１０２を介して携帯電話網５内のＨＬＲ７に、この登録解除要求メッセージを送信する（Ｓ１４）。
【００４３】
また、通信ＩＤ記憶部１０６は、この登録解除要求メッセージに含まれている端末情報をキーにして、通信ＩＤ記憶部１０６からレコード１０６０を検索し、検索したレコード１０６０を通信ＩＤ記憶部１０６から削除する（Ｓ１５）。    
【００４４】
また、ＩＰ中継装置１はメッセージを受信すると(Ｓ１３で「Ｎｏ」、Ｓ１６で「Ｙｅｓ」)、メッセージの到着先ＩＦ部を判定する(Ｓ１７)。ＩＰ端末ＩＦ部１０３あるいは基地局ＩＦ部１０４にメッセージが到着すると（Ｓ１７で「ＩＰ端末ＩＦ部、基地局ＩＦ部」）、メッセージの到着先ＩＦ部がＩＰ端末ＩＦ部１０３であるならば（Ｓ１８で「ＩＰ端末ＩＦ部））、リクエストメッセージ制御部１０９は、後述するリクエストメッセージ処理Ａを実施する。リクエストメッセージの到着先ＩＦ部が基地局ＩＦ部１０４であるならば（Ｓ１８で「基地局ＩＦ部」）、リクエストメッセージ制御部１０９は後述するリクエストメッセージ処理Ｂを実施する。
【００４５】
また、固定電話網ＩＦ部１０１あるいは携帯電話網ＩＦ部１０２にメッセージが到着すると（Ｓ１７で「固定電話網ＩＦ部、携帯電話網ＩＦ部」）、レスポンスメッセージ制御部１１０は、後述するレスポンスメッセージ処理を実施する（Ｓ２１）。
【００４６】
図５は、図４のＳ１９（リクエストメッセージ処理Ａ）を説明するためのフロー図である。
【００４７】
リクエストメッセージ制御部１０９は、Ｓ２０１においてこのリクエストメッセージの送信先アドレスに基づいて中継先のＩＦ部を設定する。
【００４８】
具体的にはリクエストメッセージのリクエストアドレスを先頭から検索し、携帯サイト特有の文字列が存在すれば中継先を携帯電話網ＩＦ部１０２に設定し、存在しなければ、中継先をＩＰ網ＩＦ部１０１に設定する（Ｓ２０１）。
【００４９】
中継先を携帯電話網ＩＦ部１０２に設定した場合（Ｓ２０１で「携帯電話網ＩＦ部」）、リクエストメッセージ送付先の携帯サイト特有の文字列に対応した携帯事業者判定を行う（Ｓ２０２、Ｓ２１１）。
携帯事業者をＡ社と判定した場合（Ｓ２０２で「Ａ社」）、フィールド１０６２にＡ社のユーザーエージェント情報が登録されているレコード１０６０を検索する（Ｓ２０３）。
【００５０】
このようなレコード１０６０が検索できた場合（Ｓ２０３で「Ｙｅｓ」）、フィールド１０６４が未使用となっているか否かを判定する（Ｓ２０４）。フィールド１０６４が未使用となっているレコード１０６０がないならば（Ｓ２０４で「Ｎｏ」）、ＩＰ網ＩＦ部１０１を中継先のＩＦ部に設定し（Ｓ２０９）、このリクエストメッセージがＩＰ網ＩＦ部１０１から送信されるように、メッセージ中継部１０５を制御し（Ｓ２１０）、本フローを終了してＳ１０に戻る。
【００５１】
一方、フィールド１０６４が未使用となっているレコード１０６０があるならば（Ｓ２０４で「Ｙｅｓ」）、フィールド１０６２に記憶されているＡ社のユーザーエージェント情報を付加する（Ｓ２０５）。さらに、レコード２０６０を通信ＩＤ記憶部１０６に記憶する（Ｓ２０６）。さらにリクエストメッセージ制御部１０９はフィールド１０６４を使用中に設定し（Ｓ２０７）、このリクエストメッセージが携帯電話網ＩＦ部１０２から送信されるようにメッセージ中継部１０５を制御し（Ｓ２０８）、本フローを終了してＳ１０に戻る。
【００５２】
フィールド１０６２にＡ社のユーザーエージェント情報が登録されているレコード１０６０を検索できなかった場合（Ｓ２０３で「Ｎｏ」）、ＩＰ網ＩＦ部１０１を中継先のＩＦ部に設定し（Ｓ２０９）、このリクエストメッセージがＩＰ網ＩＦ部１０１から送信されるように、メッセージ中継部１０５を制御し（Ｓ２１０）、本フローを終了してＳ１０に戻る。
【００５３】
リクエストメッセージ送付先の携帯事業者がＢ社であった場合（Ｓ２１１で「Ｂ社」）、フィールド１０６２にＢ社のユーザーエージェント情報が登録されているレコード１０６０を検索する（Ｓ２１１）。
【００５４】
このようなレコード１０６０が検索できた場合（Ｓ２１１で「Ｙｅｓ」）、フィールド１０６４が未使用となっているか否かを判定する（Ｓ２１３）。フィールド１０６４が未使用となっているレコード１０６０がないならば（Ｓ２１３で「Ｎｏ」）、ＩＰ網ＩＦ部１０１を中継先のＩＦ部に設定し（Ｓ２０９）、このリクエストメッセージがＩＰ網ＩＦ部１０１から送信されるように、メッセージ中継部１０５を制御し（Ｓ２１０）、本フローを終了してＳ１０に戻る。
【００５５】
一方、フィールド１０６４が未使用となっているレコード１０６０があるならば（Ｓ２１３で「Ｙｅｓ」）、フィールド１０６２に記憶されているＢ社のユーザーエージェント情報を付加する（Ｓ２１４）。さらに、レコード２０６０を通信ＩＤ記憶部１０６に記憶する（Ｓ２０６）。さらにリクエストメッセージ制御部１０９はフィールド１０６４を使用中に設定し（Ｓ２０７）、このリクエストメッセージが携帯電話網ＩＦ部１０２から送信されるようにメッセージ中継部１０５を制御し（Ｓ２０８）、本フローを終了してＳ１０に戻る。
【００５６】
フィールド１０６２にＢ社のユーザーエージェント情報が登録されているレコード１０６０を検索できなかった場合（Ｓ２１３で「Ｎｏ」）、ＩＰ網ＩＦ部１０１を中継先のＩＦ部に設定し（Ｓ２０９）、このリクエストメッセージがＩＰ網ＩＦ部１０１から送信されるように、メッセージ中継部１０５を制御し（Ｓ２１０）、本フローを終了してＳ１０に戻る。
【００５７】
リクエストメッセージ送付先の携帯事業者がＣ社であった場合（Ｓ２１１で「Ｃ社」）、フィールド１０６２にＢ社のユーザーエージェント情報が登録されているレコード１０６０を検索する（Ｓ２１５）。
【００５８】
このようなレコード１０６０が検索できた場合（Ｓ２１５で「Ｙｅｓ」）、フィールド１０６４が未使用となっているか否かを判定する（Ｓ２１６）。フィールド１０６４が未使用となっているレコード１０６０がないならば（Ｓ２１６で「Ｎｏ」）、ＩＰ網ＩＦ部１０１を中継先のＩＦ部に設定し（Ｓ２０９）、このリクエストメッセージがＩＰ網ＩＦ部１０１から送信されるように、メッセージ中継部１０５を制御し（Ｓ２１０）、本フローを終了してＳ１０に戻る。
【００５９】
一方、フィールド１０６４が未使用となっているレコード１０６０がある（Ｓ２１６で「Ｙｅｓ」）、フィールド１０６２に記憶されているＣ社のユーザーエージェント情報を付加する（Ｓ２１７）。さらに、レコード２０６０を通信ＩＤ記憶部１０６に記憶する（Ｓ２０６）。さらにリクエストメッセージ制御部１０９はフィールド１０６４を使用中に設定し（Ｓ２０７）、このリクエストメッセージが携帯電話網ＩＦ部１０２から送信されるようにメッセージ中継部１０５を制御し（Ｓ２０８）、本フローを終了してＳ１０に戻る。
【００６０】
フィールド１０６２にＣ社のユーザーエージェント情報が登録されているレコード１０６０を検索できなかった場合（Ｓ２１５で「Ｎｏ」）、ＩＰ網ＩＦ部１０１を中継先のＩＦ部に設定し（Ｓ２０９）、このリクエストメッセージがＩＰ網ＩＦ部１０１から送信されるように、メッセージ中継部１０５を制御し（Ｓ２１０）、本フローを終了してＳ１０に戻る。
【００６１】
中継先をＩＰ網ＩＦ部１０１に設定した場合（Ｓ２０１で「ＩＰ網ＩＦ部」）、このリクエストメッセージがＩＰ網ＩＦ部１０１から送信されるようにメッセージ中継部１０５を制御し（Ｓ２１０）、本フローを終了してＳ１０に戻る。
【００６２】
図６は、図４のＳ２０（リクエストメッセージ処理Ｂ）を説明するためのフロー図である。
【００６３】
リクエストメッセージ制御部１０９は、図４のＳ１８においてメッセージの到着先がＩＰ端末ＩＦ部１０３であると判定すると、中継先の判定を行う（Ｓ２１５）。
【００６４】
具体的にはリクエストメッセージのリクエストアドレスを先頭から検索し、携帯サイト特有の文字列が存在すれば中継先を携帯電話網ＩＦ部１０２に設定し、存在しなければ、中継先をＩＰ網ＩＦ部１０１に設定する。
【００６５】
中継先がＩＰ網ＩＦ部１０１であると判断した場合（Ｓ２１５で「ＩＰ網ＩＦ部」）、ＩＰ網ＩＦ部１０１を中継するＩＦ部に設定し、Ｓ２１６に進む。また、携帯電話網ＩＦ部１０２であると判断した場合（Ｓ２１５で「携帯電話網ＩＦ部」）、携帯電話網ＩＦ部１０２を中継するＩＦ部に設定し、Ｓ２２４に進む。
【００６６】
次にリクエストメッセージ制御部１０９は、基地局ＩＦ部１０４に到着したリクエストメッセージの送信元端末情報をとレコード１０６０のフィールド１０６１より検索し、フィールド１０６４が未使用となっているか否かを判定する（Ｓ２１６）。
【００６７】
判定した結果が未使用であるならば（Ｓ２１６で「未使用」）、送信元アドレスをＩＰ中継装置１のＩＰアドレスに変更する（Ｓ２１７）。
【００６８】
次に、レコード２０６０に新たに記憶するとともに（Ｓ２１８）、レコード１０６０のフィールド１０６４のＵｓｅｄ  Ｆｌａｇを“使用中”に設定する（Ｓ２１９）。
【００６９】
そして、このリクエストメッセージがＩＰ網ＩＦ部１０１から送信されるように、メッセージ中継部１０５を制御する（Ｓ２２０）。
【００７０】
一方、Ｓ２１６において、リクエストメッセージの送信元端末情報がＩＰ端末２によって使用されているならば（Ｓ２１６で「使用中」）、到着したリクエストメッセージを破棄する（Ｓ２２１）。
【００７１】
そして、基地局ＩＦ部１０４を中継するＩＦ部に設定し（Ｓ２２２）、“接続できません”の表示メッセージを基地局ＩＦ部１０４を介して、小型無線電話基地局３に送信し（Ｓ２２３）、本フローを終了してＳ１０に戻る。
【００７２】
Ｓ２１５において携帯電話網ＩＦ部への中継であった場合（Ｓ２１５で「携帯電話網ＩＦ部」）、リクエストメッセージ制御部１０９は、基地局ＩＦ部１０４に到着したリクエストメッセージの送信元端末情報をとレコード１０６０のフィールド１０６１より検索し、フィールド１０６４が未使用となっているか否かを判定する（Ｓ２２４）。
【００７３】
判定した結果、未使用であるならば（Ｓ２２４で「未使用」）、Ｕｓｅｄ  Ｆｌａｇを“使用中”に設定する（Ｓ２２５）。
【００７４】
その後、このリクエストメッセージがＩＰ網ＩＦ部１０１から送信されるように、メッセージ中継部１０５を制御し（Ｓ２２６）、本フローを終了してＳ１０に戻る。
【００７５】
一方、Ｓ２２４において、レコード２０６０のフィールド２０６３にリクエストメッセージの送信元端末情報が保存されており、レコード１０６０のフィールド１０６２がＩＰ端末２によって使用されているならば（Ｓ２２４で「使用中」）、使用しているＩＰ端末２をレコード２０６０より削除し（Ｓ２２７）、再度フィールド１０６４を“使用中”に変更する（Ｓ２２５）。
【００７６】
その後、このリクエストメッセージがＩＰ網ＩＦ部１０１から送信されるように、メッセージ中継部１０５を制御する（Ｓ２２６）。
【００７７】
図７は、図４のＳ２１（レスポンスメッセージ処理）を説明するためのフロー図である。
レスポンスメッセージ制御部１１０は、メッセージ中継部１０５がＩＰ網ＩＦ部１０１や携帯電話網ＩＦ部１０２に中継したリクエストメッセージに対するレスポンスメッセージがＩＰ網ＩＦ部１０１または携帯電話網ＩＦ部１０２のいずれに到着したかを判定する（Ｓ３０１）。
【００７８】
Ｓ３０１において、ＩＰ網ＩＦ部１０１から到着したならば（Ｓ３０１で「ＩＰ網ＩＦ部」）、通信ＩＤ記憶部１０６に記憶されているレコード２０６０を検索し、レスポンスメッセージの送信先情報に基づいて中継先のＩＦ部を判定する（Ｓ３０２）。
【００７９】
具体的には、レスポンスメッセージの送信先ＩＰアドレスがレコード２０６０のフィールド２０６３に記憶されている自ＩＰ中継装置１のＩＰアドレスと一致し、フィールド２０６１のリクエストメッセージ送信端末が携帯電話端末４であるならば、中継先を基地局ＩＦ部１０４と判定し、中継先を設定する。フィールド２０６３に記憶されていないアドレスであるならば、中継先をＩＰ端末ＩＦ部１０３と判定し、中継先を設定する。
【００８０】
中継先を基地局ＩＦ部１０４と判定したならば（Ｓ３０２で「基地局ＩＦ部」）レスポンスメッセージ制御部１１０は、フレスポンスメッセージの受信メッセージボディの解析を行う。（Ｓ３０３）。
【００８１】
解析した結果、ＨＤＭＬ記述であると判定された場合（Ｓ３０３で「ＨＤＭＬ」）、到着しているレスポンスメッセージ記述言語を変更すること無く、Ｓ３０５に進む。
【００８２】
ＨＴＭＬ記述であると判定された場合（Ｓ３０３で「ＨＴＭＬ）、ＨＴＭＬ記述で到着しているレスポンスメッセージをＨＤＭＬ記述に変更し（Ｓ３０４）、Ｓ３０５に進む。
【００８３】
ＨＤＭＬ記述言語であるか否かの判断は、具体的には受信したメッセージのＣｏｎｔｅｎｔ-ｔｙｐｅが“Ｔｅｘｔ／ｈｔｍｌ”であるならばＨＴＭＬ言語と判断し、そうでなければ、ＨＤＭＬ記述言語であると判断する。  
【００８４】
Ｓ３０５において、携帯電話端末４で表示できる表示桁数（例えば横全角１０文字（半角時は２０文字）×縦６行）を超えるか否かを判定する。表示桁数を超えると判断した場合（Ｓ３０５で「Ｙｅｓ」）、表示桁数内に収まるように受信したレスポンスメッセージのデータ部分を分割し、レスポンスメッセージ記憶部１１１に保存する（Ｓ３０６）。保存後、このレスポンスメッセージが基地局ＩＦ部１０４から送信されるように、メッセージ中継部１０５を制御する（Ｓ３０７）。
【００８５】
メッセージ送信後、保存済みの残りのメッセージの要求があるか否かを判定する（Ｓ３０８）。メッセージの要求があった場合（Ｓ３０８で「あり」）、要求されたメッセージを基地局ＩＦ部１０４から送信するようにメッセージ中継部１０５を制御する。
【００８６】
一方で、デッキ要求がなかった場合（Ｓ３０８で「なし」）、フィールド１０６４のＵｓｅｄ  Ｆｌａｇを“未使用”に変更する（Ｓ３１５）。
【００８７】
中継先がＩＰ端末ＩＦ部であった場合(Ｓ３０２で「ＩＰ端末ＩＦ部」)、Ｓ３０９において、到着したレスポンスメッセージがＩＰ端末ＩＦ部１０３から送信されるようにメッセージ中継部１０５を制御する。
【００８８】
Ｓ３１０において、レコード１０６０のフィールド１０６４が“使用中”であり、フィールド１０６２が、レコード２０６０のフィールド２０６３と一致し、フィールド２０６１がＩＰ端末４であるならば、中継先をＩＰ端末ＩＦ部１０３に設定して（Ｓ３１０で「ＩＰ端末ＩＦ部」）、Ｓ３１１に進む。レコード１０６０のフィールド１０６４が“使用中”であっても、レコード２０６０のフィールド２０６３に一致するものがなければ、中継先を基地局ＩＦ部１０４に設定して（Ｓ３１０で「基地局ＩＦ部」）、Ｓ３１６に進む。
【００８９】
Ｓ３１１において、レスポンスメッセージの送信先アドレスをＩＰ端末２のＩＰアドレスに変更し、メッセージボディの解析を行う（Ｓ３１２）。解析した結果、ＨＤＭＬ記述言語で書かれていれば（Ｓ３１２で「ＨＤＭＬ」）、ＨＤＭＬ記述をＨＴＭＬ記述に変更し（Ｓ３１３）、レスポンスメッセージをＩＰ端末ＩＦ部１０３から送信するようにメッセージ中継部１０５を制御する（Ｓ３１４）。
【００９０】
ＨＤＭＬ記述言語で書かれていなければ（Ｓ３１２で「ＨＴＭＬ」）、記述言語を変更すること無く、レスポンスメッセージをＩＰ端末ＩＦ部１０３から送信するようにメッセージ中継部１０５を制御する（Ｓ３１４）。
【００９１】
ＨＤＭＬ記述言語であるか否かの判定は、具体的には受信したメッセージの先頭に＜ＨＤＭＬ  ＶＥＲＳＩＯＮ＝３．０  ＰＵＢＬＩＣ＝ＴＲＵＥ＞という文字列が存在するならばＨＤＭＬ言語と判断し、存在しなければ、ＨＴＭＬ記述言語であると判断する（Ｓ３１２）。
【００９２】
ＩＰ端末ＩＦ１０３に中継されるようにメッセージ中継部１０５を制御した後、レスポンスメッセージが送信されるとレコード１０６０のフィールド１０６４を“未使用”に変更する（Ｓ３１５）。
【００９３】
一方、Ｓ３１１で中継先を基地局ＩＦ部１０４に設定すると、レスポンスメッセージ制御部１１０は、レスポンスメッセージを基地局ＩＦ部１０４から送信するようにメッセージ中継部１０５を制御する（Ｓ３１６）。
【００９４】
レスポンスメッセージを基地局ＩＦ部１０４に中継されるようにメッセージ中継部１０５を制御した後、レスポンスメッセージが送信されると、１０６０のフィールド１０６４を“未使用”に変更する（Ｓ３１５）。
【００９５】
図８は、図１に示すＦＭＣシステムの携帯端末収容動作の一例を説明するためのシーケンス図である。
【００９６】
携帯電話端末４は、小型携帯電話基地局３から送信されるビーコン等に基づいて、この小型携帯電話基地局３のエリア内に侵入したことを認識すると（Ｓ４０１）、この小型携帯電話基地局３を帰属先に設定する（Ｓ４０２）。また、ＨＬＲ７に対して、この小型携帯電話基地局３への帰属認証に係る通信ＩＤを送信する。この通信ＩＤは、小型携帯電話基地局３およびＩＰ中継装置１を経由して、携帯電話網５内のＨＬＲ７に到達する（Ｓ４０３〜Ｓ４０５）。ＩＰ中継装置１は、この位置登録要求メッセージの送信元の携帯電話端末４に関するレコード１０６０を通信ＩＤ記憶部１０６に追加して、この携帯電話端末４の収容を開始する（Ｓ４０６）。
【００９７】
その後、携帯電話端末４は、小型携帯電話基地局３のエリア内にいる間、ＨＬＲ７に対して帰属認証に係る通信ＩＤを定期的に送信する。この通信ＩＤは、小型携帯電話基地局３およびＩＰ中継装置１を経由して、携帯電話網５内のＨＬＲ７に到達する（Ｓ４０７〜Ｓ４０９）。ＩＰ中継装置１は、通信ＩＤを受信する毎に、通信ＩＤの送信元の携帯電話端末４に関するレコード１０６０の更新日時を更新して、この携帯電話端末４の収容を継続する（Ｓ４１０）。
【００９８】
さて、携帯電話端末４は、小型携帯電話基地局３から送信されるビーコン等に基づいて、この小型携帯電話基地局３のエリアから離脱したことを認識すると（Ｓ４１１）、この小型携帯電話基地局３を帰属先から解除する（Ｓ４１３）。また、ＨＬＲ７に対して、この小型携帯電話基地局３からの帰属解除に係る通信ＩＤを送信する。この通信ＩＤは、小型携帯電話基地局３およびＩＰ中継装置１を経由して、携帯電話網５内のＨＬＲ７に到達する（Ｓ４１３〜Ｓ４１５）。ＩＰ中継装置１は、この通信ＩＤの送信元の携帯電話端末４に関するレコード１０６０を通信ＩＤ記憶部１０６から削除して、この携帯電話端末４の収容を終了する（Ｓ４１６）。
【００９９】
以上、本発明の一実施例の形態を説明した。
【０１００】
本実施の形態において、ＩＰ中継装置１は、小型携帯電話基地局３の配下の携帯電話端末４からリクエストメッセージを受信した場合に、このリクエストメッセージの送信先アドレスに基づいて、ＩＰ網８、および携帯電話網５のいずれかに、このリクエストメッセージを中継する。具体的には、送信先のアドレスの文字列を検索し、送信先アドレスが、送信先アドレスが／ｅｚ／や／ｉ／など携帯サイト特有のアドレスであるか否かを確認し、携帯サイト特有の文字列が存在しないならば、このリクエストメッセージの送信先がＷＷＷサイト９であると判定し、このリクエストメッセージがＩＰ網ＩＦ部１０１に中継されるようにメッセージ中継部１０５を制御し、送信先アドレスが／ｅｚ／や／ｉ／など携帯サイト特有のアドレスであるならば、このリクエストメッセージが携帯電話網ＩＦ部１０２に中継されるようにメッセージ中継部１０５を制御する。
【０１０１】
さらに、ＩＰ端末ＩＦ部１０３から携帯電話網ＩＦ部１０２に中継する際には、あたかも携帯電話網５には携帯電話端末４からメッセージが送信されてきたかのように、リクエストメッセージを携帯事業者に応じた記述言語に変更して中継する。また、基地局ＩＦ部１０４からＩＰ網ＩＦ部１０１に中継する際には、あたかもＩＰ網８にはＩＰ中継装置１からリクエストメッセージが送信されてきたかのうように、リクエストメッセージの送信元アドレスを自ＩＰ中継装置１のＩＰアドレスに変更する。
【０１０２】
また、本実施の形態において、ＩＰ中継装置１はＩＰ網８あるいは携帯電話網５からレスポンスメッセージを受信した場合に、通信ＩＤ記憶部１０６に基づいて、ＩＰ端末２および小型携帯電話基地局３の配下の携帯電話端末４のいずれかに、このレスポンスメッセージを中継する。具体的には、ＩＰ網８から受信した、レスポンスメッセージの送信先ＩＰアドレスがレコード２０６０のフィールド２０６３に記憶されている自ＩＰ中継装置１のＩＰアドレスと一致し、フィールド２０６１のリクエストメッセージ送信端末が携帯電話端末４であるならば、中継先を基地局ＩＦ部１０４に設定してする。フィールド２０６３に記憶されていないアドレスであるならば、中継先をＩＰ端末ＩＦ部１０３に設定する。
【０１０３】
また、携帯電話網５からレスポンスメッセージを受信すると、通信ＩＤ記憶部１０６において、レコード１０６０のフィールド１０６４が“使用中”であり、フィールド１０６２が、レコード２０６０のフィールド２０６３と一致し、フィールド２０６１がＩＰ端末２であるならば、中継先をＩＰ端末ＩＦ部１０３に設定する。レコード１０６０のフィールド１０６４が“使用中”であっても、レコード２０６０のフィールド２０６３に一致するものがなければ、中継先を基地局ＩＦ部１０４に設定する。
【０１０４】
したがって、本実施の形態によれば、ＩＰ中継装置１は小型携帯電話基地局３の配下の携帯電話端末４や携帯電話端末４以外のＩＰ端末２からリクエストメッセージを受信した場合に、このリクエストメッセージの送信先アドレスに基づいてＩＰ網８か携帯電話網５のいずれかにこのリクエストメッセージを送信する。このため、携帯電話端末４や携帯電話端末４以外のＩＰ端末２の双方でＷＷＷサイト９や携帯専用サイトの閲覧が可能となる。
【０１０５】
上記の実施の形態において、図２に示すＩＰ中継装置１の構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実行されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実行されるものでもよい。あるいは、ＣＰＵ、メモリ、ＨＤＤ、ＤＶＤ−ＲＯＭ等の補助記憶装置、およびＮＩＣ（Ｎｅｔｗｏｒｋ  Ｉｎｔｅｒｆａｃｅ  Ｃａｒｄ）、電話回線インターフェイス等の通信インターフェイスを備えたＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することで実現されるものでもよい。
【符号の説明】
【０１０６】
１…ＩＰ中継装置、２…ＩＰ端末、３…小型携帯電話基地局、４…携帯電話端末、５…携帯電話網、６…携帯電話専用サイト、７…ＨＬＲ、８…ＩＰ網、９…ＷＷＷサイト、１０１…ＩＰ網ＩＦ部、１０２…携帯電話網ＩＦ部、１０３…ＩＰ端末ＩＦ部、１０４…基地局ＩＦ部、１０５…メッセージ中継部、１０６…通信ＩＤ記憶部、１０７…リクエストメッセージ変換部、１０８…レスポンスメッセージ変換部、１０９…リクエストメッセージ制御部、１１０…レスポンスメッセージ制御部、１１１…レスポンスメッセージ記憶部。
【図面の簡単な説明】
【０１０７】
【図１】本発明の一実施の形態にかかるＩＰ中継装置を含むＦＭＣシステムの概略図である。
【図２】ＩＰ中継装置１の概略構成図である。
【図３】（ａ）は通信ＩＤ記憶部１０６に記憶される携帯電話端末情報記憶テーブルを模式的に表した図であり、（ｂ）は通信ＩＤ記憶部１０６に記憶される送信元記憶テーブルを模式的に表した図である。
【図４】ＩＰ中継装置１の動作を説明するためのフロー図である。
【図５】図４のＳ１９（リクエストメッセージ処理Ａ）を説明するためのフロー図である。
【図６】図４のＳ２０（リクエストメッセージ処理Ｂ）を説明するためのフロー図である。
【図７】図４のＳ２１（レスポンスメッセージ処理）を説明するためのフロー図である。
【図８】図１に示すＦＭＣシステムの携帯電話端末収容動作の一例を説明するためのシーケンス図である。
【図１】
2010074659.tif 000003
【図２】
2010074659.tif 000004
【図３】
2010074659.tif 000005
【図４】
2010074659.tif 000006
【図５】
2010074659.tif 000007
【図６】
2010074659.tif 000008
【図７】
2010074659.tif 000009
【図８】
2010074659.tif 000010